(57)【要約】      （修正有）【課題】電子機器の形状は損なわれず、カバーは蓋と干渉することのないヒンジ構造を備えた電子機器を提供する。【解決手段】ヒンジは、カバーと電子機器のベースの間に設け、蓋は、上記ヒンジを覆い、ベースに取り付ける。このヒンジは、２つのチルトブラケット１１と、２つのチルト軸２１１と、２つのリンク組立体２２と、および２つの作動座金２３を有する。各チルトブラケットは、長孔および取付孔を伴う取付翼１３と、当接面を伴う連結翼１４を有する。チルト軸は、長孔を貫いて可動自在に取り付けられている。各リンク組立体は、チルト軸の周りに取り付けられる作動座と、該作動座に形成されると共に取付孔に突出する保持座２２３と、および取付孔１６に取り付けられると共に保持座を押圧する弾性部材を有する。  【選択図】図１
0003151113.tif 000002
【実用新案登録請求の範囲】
【請求項１】
側端面と、取付翼を貫いて形成される長孔と、および上記取付翼を貫いて形成され、上記長孔に隣接する取付孔を有する取付翼と、および
上記取付翼の側端面に形成されて突出し、上記取付翼の側端面に連結する隣接面を有する連結翼と、を有する
ブラケット組立体と；
チルトブラケットの間に取り付けられ、第１側面と、該第１側面の反対側にある第２側面と、第１端面と、該第１端面の反対側にあり、第１および第２側面に隣接する第２端面から成る中央フレームと、
上記中央フレームの第１および第２端面にそれぞれ形成され、横軸方向に突出し、上記チルトブラケットの長孔を貫いてそれぞれ可動自在に取り付けられる２つのチルト軸と、
チルト軸と、各リンク組立体が１つのチルトブラケットの取付翼にそれぞれ連結され、対応するチルト軸と近接端を有する作動座と、上記作動座の近接端に形成されて突出し、対応するチルトブラケットの取付翼の取付孔に突出し選択的にスライドする保持座と、および、対応するチルトブラケットの取付翼の取付孔に設けられ、保持座を押圧する弾性部材を有する２つのリンク組立体と、および
上記チルト軸の周りにそれぞれ確実に取り付けられ、各作動座が１つのチルト軸と１つのチルトブラケットの連結翼に対応し、対応するチルトブラケットの連結翼の隣接面に選択的に隣接し、作動座、保持座および対応するチルト軸を持ち上げる、曲面状の当接端を有する２つの作動座金と、から成る
チルト組立体と；
上記チルト組立体に連結され、上記中央フレームを貫いて縦軸方向に回転自在に取り付けられ、該中央フレームの第２側面を貫いて突出する
回転組立体と；
から構成されることを特徴とするヒンジ。
【請求項２】
上記ブラケット組立体が、上記回転組立体の回転軸に確実に取り付けられる回転ブラケットを有する、ことを特徴とする請求項１に記載のヒンジ。
【請求項３】
上記各チルトブラケットの連結翼が、上記連結翼の隣接面に形成される規制溝を有し、および、
上記チルト組立体が、上記チルト軸にそれぞれ固定され、上記チルトブラケットの連結翼にそれぞれ対応する２つの固定リングを有し、
各固定リングが、環状端と、該固定リングの環状端に横軸方向に形成され、対応するチルトブラケットの連結翼の規制溝に選択的に隣接する規制突起を有する、ことを特徴とする請求項１または２に記載のヒンジ。
【請求項４】
スプリングが、対応するチルト軸の周りに設けられ、および、
上記位置決め組立体が、対応するチルト軸の周りに設けられ、上記スプリングを押圧して、これに位置決め機能を発揮せしめる、ことを特徴とする請求項１ないし３のいずれかの項に記載のヒンジ。
【請求項５】
上記チルト組立体の中央フレームが、
上記中央フレームの第１および第２側面を貫いて形成される枢着孔と、上記中央フレームの第２側面に形成され、縦軸方向に突出する規制突起と、上記第２側面に形成され、中央フレームの枢着孔に隣接する２つの位置決め突起を有し、および、
上記回転組立体が、
上記回転軸の周りにスライド自在に設けられ、上記中央フレームの第２側面に面する隣接面と、および、上記位置決め座金の隣接面に形成され、中央フレームの位置決め突起に選択的に係合する２つの位置決め溝を有する位置決め座金と、
上記回転軸の周りに設けられ、上記位置決め座金に隣接する複数の弾性座金と、
上記回転軸の周りに設けられ、環状端と、規制リングの環状端に横軸方向に形成され、中央フレームの規制突起に選択的に隣接する規制突起を有する規制リングと、および、
上記回転軸の周りに確実に取り付けられて規制リングと、弾性座金と位置決め座金を保持する固定リングと、を有することを特徴とする請求項１ないし４のいずれかの項に記載のヒンジ。
【請求項６】
ベースと、該ベースに回転自在に連結されるカバーと、該ベースとカバーの間に連結されるヒンジと、該ヒンジを覆い、ベースに確実に取り付けられる蓋から構成され、
上記ヒンジが、
側端面と、取付翼を貫いて形成される長孔と、および上記取付翼を貫いて形成され、上記長孔に隣接する取付孔を有する取付翼と、および
上記取付翼の側端面に形成されて突出し、上記取付翼の側端面に連結する隣接面を有する連結翼と、を有する
ブラケット組立体と；
チルトブラケットの間に取り付けられ、第１側面と、該第１側面の反対側にある第２側面と、第１端面と、該第１端面の反対側にあり、第１および第２側面に隣接する第２端面から成る中央フレームと、
上記中央フレームの第１および第２端面にそれぞれ形成され、横軸方向に突出し、上記チルトブラケットの長孔を貫いてそれぞれ可動自在に取り付けられる２つのチルト軸と、
チルト軸と、各リンク組立体が１つのチルトブラケットの取付翼にそれぞれ連結され、対応するチルト軸と近接端を有する作動座と、上記作動座の近接端に形成されて突出し、対応するチルトブラケットの取付翼の取付孔に突出し選択的にスライドする保持座と、および、対応するチルトブラケットの取付翼の取付孔に設けられ、保持座を押圧する弾性部材を有する２つのリンク組立体と、および
上記チルト軸の周りにそれぞれ確実に取り付けられ、各作動座が１つのチルト軸と１つのチルトブラケットの連結翼に対応し、対応するチルトブラケットの連結翼の隣接面に選択的に隣接し、作動座、保持座および対応するチルト軸を持ち上げる、曲面状の当接端を有する２つの作動座金と、から成る
チルト組立体と；
上記チルト組立体に連結され、上記中央フレームを貫いて縦軸方向に回転自在に取り付けられ、該中央フレームの第２側面を貫いて突出する
回転組立体と；
から構成されることを特徴とする電子機器。
【請求項７】
上記ブラケット組立体が、上記回転組立体の回転軸に確実に取り付けられる回転ブラケットを有する、ことを特徴とする請求項６に記載の電子機器。
【請求項８】
上記各チルトブラケットの連結翼が、上記連結翼の隣接面に形成される規制溝を有し、および、
上記チルト組立体が、上記チルト軸にそれぞれ固定され、上記チルトブラケットの連結翼にそれぞれ対応する２つの固定リングを有し、
各固定リングが、環状端と、該固定リングの環状端に横軸方向に形成され、対応するチルトブラケットの連結翼の規制溝に選択的に隣接する規制突起を有する、ことを特徴とする請求項６または７に記載の電子機器。
【請求項９】
上記チルト組立体が、対応するチルト軸の周りに設けられるスプリングと、および、
対応するチルト軸の周りに設けられて、上記スプリングを押圧して、位置決め機能を発揮せしめる位置決め組立体と、
を有することを特徴とする請求項６ないし８のいずれかの項に記載のヒンジ。
【請求項１０】
上記チルト組立体の中央フレームが、
上記中央フレームの第１および第２側面を貫いて形成される枢着孔と、上記中央フレームの第２側面に形成され、縦軸方向に突出する規制突起と、上記第２側面に形成され、中央フレームの枢着孔に隣接する２つの位置決め突起を有し、および、
上記回転組立体が、
上記回転軸の周りにスライド自在に設けられ、上記中央フレームの第２側面に面する隣接面と、および、上記位置決め座金の隣接面に形成され、中央フレームの位置決め突起に選択的に係合する２つの位置決め溝を有する位置決め座金と、
上記回転軸の周りに設けられ、上記位置決め座金に隣接する複数の弾性座金と、
上記回転軸の周りに設けられ、環状端と、規制リングの環状端に横軸方向に形成され、中央フレームの規制突起に選択的に隣接する規制突起を有する規制リングと、および、
上記回転軸の周りに確実に取り付けられて規制リングと、弾性座金と位置決め座金を保持する固定リングと、を有することを特徴とする請求項６ないし９のいずれかの項に記載のヒンジ。
【考案の詳細な説明】
【技術分野】
【０００１】
本考案は、ヒンジおよびそのヒンジを備えた電子機器に関し、特に、カバーおよび電子機器のベース間に設けられ、カバーが回動している間にこれを上げるヒンジおよびそのヒンジを備えた電子機器に関する。
【背景技術】
【０００２】
第９図および第１０図において、携帯電話やノート型コンピュータなどの従来型電子機器は、ベース９０，９０Ａ、カバー９２，９２Ａ、従来型ヒンジ９１，９１Ａ、蓋９３，９３Ａを有する。該従来型ヒンジ９１，９１Ａは、上記ベース９０，９０Ａとカバー９２，９２Ａの間に設けられて、該カバー９２，９２Ａを該ベース９０，９０Ａに対して回動可能とする。上記蓋９３，９３Ａは、上記ベース９０，９０Ａに取り付けられ、上記従来型ヒンジ９１，９１Ａを覆って、従来型電子機器を装飾する。
【０００３】
上記カバー９２，９２Ａが上記ベース９０，９０Ａに対して回動すると、上記蓋９３，９３Ａが該カバー９２，９２Ａの端部に当接して、該カバー９２，９２Ａの回動を阻止する。該カバー９２，９２Ａと該蓋９３，９３Ａとの当接を解消するために、次のような２つの従来方法がある。
【０００４】
図９に、１つの従来型電子機器を示す。カバー９２に近い蓋９３の端部は、傾斜面９４を有する。該カバー９２は該傾斜面９４に沿って回動するので、該蓋９３は該カバー９２の回動を阻止することはない。しかしながら、該傾斜面９４は、従来型電子機器の全体の外観を損なう。
【０００５】
図１０に、もう１つの従来型電子機器を示す。上記カバー９２Ａと上記蓋９３Ａの間には、隙間が形成されている。従って、該カバー９２Ａは、これが回動する際に、該蓋９３Ａから遠のいている。しかしながら、この隙間は、従来型電子機器の外観を損なうだけでなく、該従来型電子機器のザイズを増大させることになる。
【０００６】
したがって、カバー９２，９２Ａと蓋９３，９３Ａとの当接を解消するための上記従来方法は、従来型電子機器の外観を損ない、該従来型電子機器のサイズを増大させる。従来型電子機器の外観を損ない、該従来型電子機器のサイズを増大させることは、市場の要請に逆らうことになる。
【０００７】
これらの欠点を克服するために、本考案は、上述の問題点を緩和し、或いは、除去することができるヒンジおよび該ヒンジを備えた電子機器を提供する。
【考案の概要】
【考案が解決しようとする課題】
【０００８】
本考案の主な目的は、カバーを所望通りに開くことが出来、ヒンジおよびそのヒンジを備えた電子機器を提供することを課題とする。
【０００９】
本考案の他の目的、利点および新規な特徴は、添付図面と共に、以下の詳細な記載から更に明らかとなる。
【課題を解決するための手段】
【００１０】
本考案のヒンジは、カバーと電子機器のベースの間に設けられる。この蓋は、上記ヒンジを覆い、ベースに確実に取り付けられる。このヒンジは、２つのチルトブラケットと、２つのチルト軸と、２つのリンク組立体と、および２つの作動座金を有する。各チルトブラケットは、長孔および取付孔を伴う取付翼と、当接面を伴う連結翼を有する。チルト軸は、長孔を貫いて可動自在に取り付けられている。各リンク組立体は、チルト軸の周りに取り付けられる作動座と、該作動座に形成されると共に取付孔に突出する保持座と、および取付孔に取り付けられると共に保持座を押圧する弾性部材を有する。
【考案の効果】
【００１１】
本考案のヒンジおよびそのヒンジを備えた電子機器は、カバーがある角度に回動すると、カバーを円滑に持ち上げる。従って、電子機器の形状は、外観を損なうことはなく、このカバーは、蓋に当たることはない。さらに、上述の電子機器は、小さなサイズとなり、カバーが回動した時、円滑性に影響を与えることなく、見事な形状となる。ことができる。
【図面の簡単な説明】
【００１２】
【図１】本考案に従うヒンジの斜視図である。
【図２】図１のヒンジの部分分解斜視図である。
【図３】図１のヒンジの他の部分分解斜視図である。
【図４】図１のヒンジの作用斜視図であって、横軸方向に沿って回動するヒンジを示す。
【図５】図１のヒンジの他の作用斜視図であって、縦軸方向に沿って回動するヒンジを示す。
【図６】図１のヒンジを有し、本考案による電子機器の斜視図である。
【図７】図６の電子機器の部分拡大断面である。
【図８ａ】図６の電子機器の部分断面の作用側面図である。
【図８ｂ】図６の電子機器の部分断面の作用側面図である。
【図８ｃ】図６の電子機器の部分断面の作用側面図である。
【図９】従来技術にしたがう従来型電子機器の作用側面図である。
【図１０】従来技術にしたがう他の従来型電子機器の作用側面図である。
【考案を実施するための形態】
【００１３】
以下、本考案のヒンジおよびそのヒンジを備えた電子機器の実施例について、図面を参照しながら説明する。
図１ないし図３において、本考案によるヒンジは、ブラケット組立体１０、チルト組立体２０および回転組立体３０から成る。
【００１４】
上記ブラケット組立体１０は、２つのチルトブラケット１１および回転ブラケット１２を有する。
【００１５】
各チルトブラケット１１は、取付翼１３と連結翼１４を有する。該取付翼１３は、側端面と長孔１５と、取付孔１６を有する。該長孔１５は、該取付孔１６を貫いて形成されている。該取付孔１６は、上記取付翼１３を貫いて形成され、上記長孔１５に隣接している。上記連結翼１４は、上記取付翼１３の側端面に形成されると共に突設しており、該取付翼１３に垂直であってもよく、隣接面１７および規制溝１８を有する。該隣接面１７は、上記取付翼１３の側端面に接続されている。上記規制溝１８は、上記連結翼１４の隣接面１７に連結されている。
【００１６】
上記チルト組立体２０は、上記ブラケット組立体１０に接続され、中央フレーム２１、２つのチルト軸２１１、スプリング２４、位置決め組立体２５、２つのリンク組立体２２、２つの作動座金２３、および２つの固定リング２６から構成されている。
【００１７】
上記中央フレーム２１は、上記２つのチルトブラケット１１の間に取り付けられ、第１端面と、第２端面と、第１側面と、第２側面と、枢着孔２１２と、規制突起２１３と、および２つの位置決め突起２１４を有する。上記第２端面は、上記第１端面の反対側にある。上記第２側面は、上記第１側面の反対側にあり、上記第１および第２端面に隣接する。上記枢着孔２１２は、上記中央フレーム２１の第１および第２側面を貫いて形成されている。上記規制突起２１３は、上記第２側面に形成され、垂直に突出している。上記位置決め突起２１４は、上記第２側面に形成され、上記枢着孔２１２に隣接されている。
【００１８】
上記チルト軸２１１は、上記中央フレーム２１の第１および第２端面に各々形成されると共に該端面から横軸（上記縦軸に対して直交する軸：以下同じ）方向に突出し、上記チルトブラケット１１の長孔１５を貫いて、それぞれ可動自在に取り付けられている。各チルト軸２１１は非円形断面となっている。
【００１９】
上記スプリング２４は、対応するチルト軸２１１の周りに設けられている。上記位置決め組立体２５は、上記スプリング２４に対して、対応するチルト軸２１１の周りに設けられ、位置決め機能を発揮する。上記位置決め組立体２５は、相互に相対回転し、対応する位置決め突起と位置決め爪を有する、回転する位置決め座金と動かない位置決め座金から成る。
【００２０】
上記リンク組立体２２は、上記チルト軸２１１および上記取付翼１３にそれぞれ連結されている。各リンク組立体２２は、作動座２２１、保持座２２３および弾性部材２２２を有する。上記作動座２２１は、対応するチルト軸２１１の周りに設けられ、基端を有する。上記保持座２２３は、上記作動座２２１の基端に形成され、突設されており、対応するチルトブラケット１１の取付翼１３の取付孔１６に突出し、選択的に摺動する。上記弾性部材２２２は、対応するチルトブラケット１１の取付翼１３の取付孔１６に設けられ、上記保持座２２３に対して押圧する。
【００２１】
上記作動座金２３は、上記チルト軸２１１の周りに、それぞれ強固に取り付けられており、上記連結翼１４に、それぞれ対応している。各作動座金２３は、隣接縁２３１を有し、対応する上記チルト軸２１１の形状に対応するように構成された非円形孔を有することができる。上記隣接縁２３１は、カーブしていて、対応するチルトブラケット１１の上記連結翼１４の隣接面１７に選択的に接して、対応する上記チルト軸２１１、上記作動座２２１および保持座２２３を持ち上げる。
【００２２】
上記固定リング２６は、上記チルト軸２１１にそれぞれ固定され、上記チルトブラケット１１の連結翼１４にそれぞれ対応する。各固定リング２６は、環状縁と規制突起２３１を有する。該規制突起２３１は、上記固定リング２６の環状縁に横軸方向に形成されており、上記チルトブラケット１１の連結翼１４の規制溝１８に選択的に接して、上記チルト軸２１１の回転角を規制する。
【００２３】
図５において、上記回転組立体３０は、上記チルト組立体２０に連結され、回転軸３１、位置決め座金３２、複数の弾性座金３４、規制リング３５および固定リングから成る。
【００２４】
上記回転軸３１は、上記中央フレーム２１を貫いて回転自在に取り付けられ、好適には、該中央フレーム２１の枢着孔２１２を貫いて回転自在に取り付けられ、上記回転ブラケット１２に強固に取り付けられ、上記中央フレーム２１の第２側面を貫いて突出している。上記回転軸３１は、非円形断面を有してもよく、ネジ外壁を有してもよい。
【００２５】
上記位置決め座金３２は、上記回転軸３１の周りに摺動可能に取り付けられており、当接面と２つの位置決め溝３３を有し、上記回転軸３１の形状に符合するように設計された中央孔を有してもよい。上記位置決め座金３２の当接面は、上記中央フレーム２１の第２側面に向かい合っている。上記２つの位置決め溝３３は、上記位置決め座金３２の当接面に形成され、上記中央フレーム２１の位置決め突起２１４に選択的に係合して、位置決め機能を発揮する。
【００２６】
上記弾性座金３４は、上記回転軸３１の周りに取り付けられており、上記位置決め座金３２に当接している。
【００２７】
上記規制リング３５は、上記回転軸３１の周りに取り付けられており、環状端面と規制突起３６を有し、上記回転軸３１の形状に符合するように設計された中央孔を有してもよい。上記規制突起３６は、上記規制リング３５の環状縁に垂直に形成されており、上記中央フレーム２１の規制突起２１３に選択的に当接して、上記回転軸３１の回転角を規制する。
【００２８】
上記固定リングは、上記回転軸３１の周りに強固に取り付けられており、上記規制リング３５と、上記弾性座金３４と、および上記位置決め座金３２を保持し、上記回転軸３１のネジ外壁に螺合されるナットであっても良い。
【００２９】
図６および図７において、本考案の電子機器は、カバー４０と、ベース５０と、上述のヒンジと、および蓋６０から構成されている。上記カバー４０は、上記ベース５０に回動自在に連結されている。上述のヒンジは、上記カバー４０と上記ベース５０の間に取り付けられている。上記回転軸３１は、上記カバー４０に強固に連結され、または、上記回転軸１２は上記カバー４０に強固に取り付けても良い。上記チルトブラケット１１は、上記ベース５０に強固に取り付けられている。上記蓋６０は、上述のヒンジを覆い、上記ベース５０に強固に取り付けられている。
【００３０】
図８ａ，８ｂおよび８ｃにおいて、上記カバー４０は、上記ベース５０に対して枢着されている。上記カバー４０は、上記回転軸３１および上記中央フレーム２１を保持し、上記チルトブラケット１１に対して回動する。上記作動座金２３は、上記チルト軸２１１により回動する。上記作動座金２３の隣接縁２３１が、上記連結翼１４の隣接表面１７に隣接すると、上記作動座金２３が同時に上方に動いて、上記チルト軸２１１を上方に引く。上記チルト軸２１１は上記取付翼１３の長孔１５内を摺動して、上記カバー４０を次第に上昇せしめる。上記カバー４０が上記蓋６０から離れるように持ち上げられるので、上記カバー４０は、回動した時に上記蓋６０に干渉しない。
【００３１】
上記チルト軸２１１が上方に動くと、上記作動座２２１および上記保持座２２３は、上方に動いて、上記弾性部材２２２を押圧する。上記カバー４０が連続して回動すると、上記作動座金２３の隣接縁は、隣接面１７から離れ、上記チルト軸２１１を押して上方に動かす力が無くなる。そして、上記弾性部材２２２は上記保持座２２３を押して摺動する。上記作動座２２１は、上記チルト軸２１１を押して、元の位置にスライドさせる。従って、上記カバー４０は、元の位置に戻される。
【００３２】
上述のヒンジおよび電子機器は、次のような利点を有する。ヒンジは、カバー４０がある角度に回動すると、カバー４０を円滑に持ち上げる。従って、電子機器の形状は、外観を損なうことはなく、このカバー４０は、蓋６０に当たることはない。さらに、上述の電子機器は、小さなサイズとなり、カバー４０が回動した時、円滑性に影響を与えることなく、見事な形状となる。
【００３３】
たとえ本考案の多数の特徴や利点が上述のように記載されていたとしても、本考案の構成や特徴は単なる実施例に過ぎず、本考案はこれらの実施例に限定されるものではない。特に本考案の構成部材の形、サイズおよび配置等の変更は、詳細な説明では十分ではなく、請求範囲において表現される用語は、広い一般的な意味にしたがって解釈されるべきである。
【符号の説明】
【００３４】
１０    ブラケット組立体
１１    チルトブラケット
１２    回転ブラケット
１３    取付翼
１４    連結翼
１５    長孔
１６    取付孔
１７    隣接面
１８    規制溝
２０    チルト組立体
２１    中央フレーム
２１１  チルト軸
２１２  枢着孔
２１３  規制突起
２１４  位置決め突起
２２    リンク組立体
２２１  作動座
２２２  弾性部材
２２３  保持座
２３    作動座金
２３１  隣接縁
２４    スプリング
２５    位置決め組立体
２６    固定リング
３０    回転組立体
３１    回転軸
３２    位置決め座金
３３    位置決め溝
３４    弾性座金
３５    規制リング
３６    規制突起
４０    カバー
５０    ベース
６０    蓋
【図１】
0003151113.tif 000003
【図２】
0003151113.tif 000004
【図３】
0003151113.tif 000005
【図４】
0003151113.tif 000006
【図５】
0003151113.tif 000007
【図６】
0003151113.tif 000008
【図７】
0003151113.tif 000009
【図８ａ】
0003151113.tif 000010
【図８ｂ】
0003151113.tif 000011
【図８ｃ】
0003151113.tif 000012
【図９】
0003151113.tif 000013
【図１０】
0003151113.tif 000014